(57)【要約】【課題】  インターネット利用者・コンテンツ作成者に特段の負荷をかけず、コンテンツ上の情報と関連するその情報を保持するサイトに誘導することで、インターネット上での利便性の向上、広告効果の増大を促し、かつ、ネットワーク全体への負荷をなるべく減少する。【解決手段】コンテンツに含まれる情報に対応したデータベースを作成し、関連付けに伴いリンクを生成する、また、ネットワークの出入り口において、通過するデータを監視し、変換する可能性のあるデータを解析し、不必要なデータのトラフィックを減少させ、高頻度のコンテンツに関しては変換結果をキャッシュすることによりネットワーク上の負荷を減少させる。又、リンクを生成させる装置を多数分散配置することによりネットワーク全体の負荷を減少させる。【選択図】  図１
2006092502.tif 000002
【特許請求の範囲】
【請求項１】
ネットワークの入り口または出口（例えばＩＳＰ）において配置されたサーバーにより、ユーザー端末のブラウザに転送されるべきデータの内容を解析し固有の文字情報または図形情報を含む固有データに対して変換を希望する可能性のあるデータ種別の通信を単一又は複数の変換サーバーから選択し転送する情報処理システム。及び請求項２の処理により再転送されたデータを本来の転送先に転送する情報処理システム。
【請求項２】
変換する可能性のあるデータを受けたサーバーは固有の文字情報または図形情報を含む固有データに対して、当該固有データに関連する関連サイトへのリンクを張る処理を行う情報処理システムであって、予め登録された前記固有データと、この固有データに対応する前記関連サイトへのリンク先のＵＲＬ情報とを格納した格納手段を有し、前記ユーザー端末からのアクセス要求に基づいて、転送されてきたデータの中からの前記固有データを探し出し、該当する該当固有データがある場合には対応する前記ＵＲＬ情報に基づいて前記該当固有データに関連する関連サイトへのリンク化処理および必要であれば装飾化処理を行った第２のデータを生成するリンク化処理手段、前記第２のデータを前記ユーザー端末に表示させる処理、又は変換する可能性のあるデータを送ってきた転送もとのサーバーへ再転送をケースにより選択して行なう処理手段を行なう情報処理システム。
【請求項３】
請求項２情報処理システムは、予め登録された前記固有データと、この固有データに対応する前記関連サイトへのリンク先のＵＲＬ情報とをマーケティング用に解析できるデータを生成する解析データ生成手段を備える情報処理システム。前記解析データに基づき課金管理を行う課金管理手段を備え、前記管理用端末部より広告主毎の課金データ処理を行なう情報処理システム。及び前記解析データに基づき、頻度の高い結果に対しては処理結果をキャッシュし高速化を行なう情報処理システム。
【請求項４】
請求項１のデータの内容を解析能力向上・簡便化のためにユーザー端末のブラウザに転送されるべきデータの特性に変化を加える技術。
【発明の詳細な説明】
【技術分野】
【０００１】  本発明は、情報処理システム、情報処理方法、広告宣伝方法、公式サイト認証方法、及びプログラムを記録した情報記録媒体に関し、インターネットまたはその他の通信ネットワーク上で表現される文字情報または図形情報などの一方の固有データから、予め関連付けられた他方のデータにリンクを張るものに関する。より詳細には、インターネット上における広告・宣伝に関する技術であり、さらには、インターネットにおける情報閲覧者の利便性を高める技術である。
【背景技術】
【０００２】  ネットワーク網例えばインターネットは、ほぼ全世界にまたがるコンピュータネットワークの集合体である。インターネットは、１９６９年に米国ＡＲＰＡが始めたＡＲＰＡＮＥＴを前身とし、学術目的のＮＳＦｎｅｔを経て、１９９５年以降商用目的に開放されて現在のものになった。現在は、インターネットの接続サービスを提供する企業が相互に接続して、利用者が数億人とも言われている。このように、膨大な利用者が利用するようになった原因は、膨大な情報から簡単に、かつ、グラフィカルなメニューで、希望の情報を簡単に探し出せる仕組みが開発されたためである。この仕組みがＷＷＷ（Ｗｏｒｌｄ  Ｗｉｄｅ  Ｗｅｂ）である。ＷＷＷは、１９８９年のスイスのＴｉｍ  Ｂｅｒｎｅｒｓ−Ｌｅｅ氏らによって提案された情報システムである。インターネット上に文字・画像・音声を含むハイパーテキストを構築し、あらゆる情報を継目なくアクセス可能とすることを目的としている。前記ＷＷＷでは、クライアントとサーバーとの通信プロトコルとして、ＨＴＴＰ（Ｈｙｐｅｒｔｅｘｔ  Ｔｒａｎｓｆｅｒ  Ｐｒｏｔｏｃｏｌ）を使用する。前記ハイパーテキストの構築には、ＨＴＭＬ（Ｈｙｐｅｒ  Ｔｅｘｔ  Ｍａｒｋｕｐ  Ｌａｎｇｕａｇｅ）というマークアップ言語を用いるほか、よりリアルなグラフィックスを表現できるＶＲＭＬ（Ｖｉｒｔｕａｌ  Ｒｅａｌｉｔｙ  Ｍｏｄｅｌｉｎｇ  Ｌａｎｇｕａｇｅ）等の言語も提案されている。また、リンク先のデータの指定には、ＵＲＬ（Ｕｎｉｆｏｒｍ  Ｒｅｓｏｕｒｃｅ  Ｌａｎｇｕａｇｅ）という表記法が用いられる。上記ＷＷＷによれば、サーバー自身のデータのほか、他のサーバーの特定のページなど、インターネット上の情報資源にリンクを張ることができる。この縦横無尽に張り巡らされたリンクにより、ユーザーは、所定のサーバーのページ（ハイパーテキストによって構築された画面）から出発し（このページを「ホームページ」という）、ホームページ上の関心のある事項をクリックすることにより、そのサーバーあるいは他のサーバーが提供する他のページを見ることができ、また同様の操作によってそのページから他のページを見ることができる。このように、ユーザーが関心を持っている事項を次々にクリックして見てゆくことにより、最終的に膨大な情報から欲しい情報を得ることができるのである。上記仕組みは、技術情報等の提供のみならず、商業用としても大きなマーケットへの接触手段を提供するので、現在多数の企業や個人がインターネット上に独自のホームページを掲載しようとしている。なお、「ホームページ」とは、ユーザーが情報を検索する基点のページを指すが、本明細書ではインターネット上に開示する全てのページ（画面）を含めて「ホームページ」という。インターネット上に開示するホームページは、既述したようにＨＴＭＬによって構成される。ＨＴＭＬには、どの文章・画像・音声をどこにレイアウトするとか、どの文字をどんな大きさにするとか、色を何にするとかの情報を記述する。】ＷＷＷブラウザ（インターネット上でページを見て興味ある事項を選択することができるようにしたソフトウエア）は、各種の文章・画像・音声をホームページとして合体させて表示させる。このＷ��Ｗブラウザ（より広くはＨＴＭＬ）の働きにより、ユーザーはコンピュータ画面上に美しくレイアウトされたホームページを見ることができる。なお、ホームページは種々の情報を含むが、この情報内容を「コンテンツ」という。また、これらコンテンツを構成しているドキュメント（文章・画像・音声ドキュメント）は、ＷＷＷ環境下でインターネットに提供されるドキュメントという意味である。つまり、インターネットにホームページを開示するには、作成したホームページをＷＷＷサーバー（インターネットにホームページを発信するサーバー）に格納し、このＷＷＷサーバーの送信プログラム（ＨＴＴＰＤ）によってユーザーの要求に応じてファイルを送信することにより行われる。ここで、例えば、ある企業名の公式サイトのＵＲＬが不明である場合を想定する。というのも、公式サイトには、ユーザーが所望とする情報が多数存在することが多いからである。その場合、検索エンジンにて指定ワードを入力して検索結果が例えば１７１９件ヒットすると、さらなる検索作業によって絞り込みを行なう。この際、検索エンジンを通して検索した場合には、検索結果の数十件の中に非公式のサイトと連名で検索結果が抽出され、非公式のサイトと連名で公式ページが埋もれてしまっているために、目的のサイトをさらに探し出す必要がある。一方、地図情報サイトを利用して、ある企業の住所からその所在地を探し出す場合には、先ず、当該地図情報サイトにおいて、各種地域の絞り込みを行なう必要がある。具体的には、住所が「東京都港区南青山９９丁目８８番７７号」である場合には、先ず「東京都」で絞り込み、次に「港区」、以下順次「南青山」、「９９」、「８８」、「７７」、の順に絞り込みを行ないながら、該当地域周辺の地図情報が表示されることとなる。また、インターネット上で企業等が自社の商品・サービスについて広告・宣伝を行う場合、多くの閲覧者が訪れるポータルサイトなどのウェブサイトへのバナー広告の掲載や、宣伝ページへのハイパーリンクなどを組み込むことによって行われている。ここに、ハイパーリンクとは、インターネットのブラウザ上で表現される文字列や図形などの一方の固有データを予め関連付けられた他のデータを持つＵＲＬへとリンクさせることをいう。つまり、文字列または図形などのデータを持つテキストの作成者が、予めハイパーリンク先のＵＲＬを指定することにより、そのテキストを呼び出したすべての閲覧者にそのリンクを提供するものである。
【特許文献１】公開２００３−１０８４２５
【特許文献２】公開２０００−１９４７２８
【特許文献２】公開２００２−０７３５４５
【発明の開示】
【発明が解決しようとする課題】
【０００３】しかしながら、上述のような手法を用いて、公式サイトなどを探し出すためには、検索結果として公式サイトのアドレスと、そうでないが関連性を有するサイトのアドレスとが混在して表示されるために、真の公式サイトのみの閲覧を希望するユーザーにとってみると、その探索に困難性を有するという問題があった。また、地図情報サイトから特定の地域の地図情報を引き出す場合には、最終的な対応該当地を探し出すまでに、少なくとも８回の各階層のページを見つつ、８回の操作を行なう必要があり、ユーザーの負担となっていた。このように、ユーザー（ホームページの閲覧者）がホームページのテキストに含まれる文字列または図形などの固有データが示す内容に関する情報を知りたい場合、当該情報がネットワーク上に存在していても、前記固有データにハイパーリンクが張られていないケースが多い。その場合、ユーザーは、上述したように検索エンジン等を用いてネットワーク上の膨大な情報の中からその情報を探し出さなければならなかった。さらにまた、従来のハイパーリンクでは、バナー広告が掲載されているサイトや、ハイパーリンクが準備されているサイトに、閲覧者がアクセスすることがない限り、情報を提供することが不可能であり、広告宣伝効果が低いという問題があった。加えて、上記ハイパーリンクとは別に、ユーザーが、固有のプログラムをユーザー自身の端末に組み込むことにより、前記端末にて表示される任意の文字列に関して、予め関連付けられた他の任意のデータへリンクさせることが考えられる。しかしながら、そのような情報検索の利便性は、当該プログラムを組み込んだ端末を介してのみ享受できるものであり、ネットワークに接続された任意の端末すべてに、利便性を与えるものではない。しかも、ユーザーが前記固有のプログラムを組み込まなければならずユーザーの負担となる。本発明は、上記事情に鑑みてなされたものであり、その目的とするところは、特定の団体組織等の公式サイトを探し出すのに困難性を要せず、当該団体組織の地図上の対応該当地なども直ちに閲覧することの可能で、端末に固有のプログラムを組み込むことなく、インターネットにおける情報閲覧者（ユーザー）の端末に対し、全てに同一の利便性を与えることのできる情報処理システム、情報処理方法、広告宣伝方法、公式サイト認証方法、及びプログラムを記録した情報記録媒体を提供することにある。また、本発明の他の目的は、インターネット上における広告宣伝効果の増大できる情報処理システム、情報処理方法、広告宣伝方法、公式サイト認証方法、及びプログラムを記録した情報記録媒体を提供することにある。さらに、同一の課題に対して解決を試みる動きはあるものの、ネットワークトラフィックの増大、及び設備の肥大化、ユーザーに特定の作業をしいなければならない、といった複数の問題に直面している。
【課題を解決するための手段】
【０００４】  上記目的を達成するために、請求項１に記載の発明は、ネットワークの入り口または出口（例えばＩＳＰ）に配置された第３の機器により、ユーザー端末（第１の機器）のブラウザに表示される要求されたコンテンツサーバー（第２の機器）のより送信される第１のデータの中の中身を解析し固有の文字情報または図形情報を含む固有データに対して変換を希望する可能性のあるデータ種別の通信を単一又は複数のＨＴＭＬ変換サーバー（第４の機器）から選択し転送する、及び請求項２の処理により第４の機器から再転送されたデータを本来の転送先に転送する情報処理システムを含むことを特徴としている。【０００５】  請求項２に記載の発明は、予変換する可能性のあるデータを受けた第４の機器は固有の文字情報または図形情報を含む固有データに対して、当該固有データに関連する関連サイトへのリンクを張る処理を行う情報処理システムであって、予め登録された前記固有データと、この固有データに対応する前記関連サイトへのリンク先のＵＲＬ情報とを格納した格納手段を有し、前記第１の機器からのアクセス要求に基づいて、第１のデータの中の中身を第３の機器により解析し固有の文字情報または図形情報を含む固有データに対して変換を希望する可能性のあるデータ転送されてきたデータの中からの前記固有データを探し出し、すでにリンクが張られているなど、リンクを張ることによってホームページ上の構成をこわさない前記固有データが抽出された場合には、前記固有データに対応する前記ＵＲＬ情報に基づいて前記固有データに関連するターゲットサーバー（第５の機器）が提供するホームページへ又は第５の機器への訪問を斡旋する目的の別の第５の機器が提供するホームページのリンク化処理を行って、第２のデータを前記または別の第３の機器に対して送信するする処理を該当する該当固有データがある場合には、対応する前記ＵＲＬ情報に基づいて前記該当固有データに関連する関連サイトへのリンク化処理および必要であれば装飾化処理を行った第２のデータを生成するリンク化処理手段、生成後のデータに特定の変化を加える処理を行い、前記第２のデータを変換する可能性のあるデータを送ってきた転送元の第３の機器又は別の第３の機器に再転送をケースにより選択して行なう処理手段を行う情報処理システムを含むことを特徴としている。【０００６】    請求項３に記載の発明は請求項２情報処理システムが、予め登録された前記固有データと、この固有データに対応する前記関連サイトへのリンク先のＵＲＬ情報とをマーケティング用に解析できるデータを生成する解析データ生成手段を備える情報処理システム。前記解析データに基づき課金管理を行う課金管理手段を備え、前記管理用端末部より広告主毎の課金データ処理を行なう情報処理システム。及び前記解析データに基づき、頻度の高い結果に対しては処理結果をキャッシュし高速化を行なう情報処理システムを含むことを特徴としている。【０００７】    請求項４に記載の発明は請求項１のデータの内容を解析能力向上・簡便化のためにユーザー端末のブラウザに転送されるべきデータの特性に特定の変化を加える技術を特徴としている。【０００８】  なお、本発明にかかる装置と方法は、そのい���つかの特定の実施の形態に従って説明してきたが、当業者は本発明の主旨および範囲から逸脱することなく本発明の本文に記述した実施の形態に対して種々の変形が可能である。例えば、上述の実施の形態のキーワードリンクシステム、それに用いるサーバー（第２の機器、第４の機器、第５の機器）、端末の各々において処理される各処理プログラム（例えばｄｌｌファイル等）、説明された処理、データ（例えば、キーワード情報、ＵＲＬ情報、ｔｘｔファイル、各種テーブル等）の全体もしくは各部を情報記録媒体に記録した構成であってもよい。さらに、上述の処理プログラムを、一般のパソコンや携帯端末で動作可能な電子メールソフトに組み込んだもの、あるいは組み込んだ電子メールソフトを記録した情報記録媒体も含む。この情報記録媒体としては、例えばＲＯＭ、ＲＡＭ、フラッシュメモリ等の半導体メモリ並びに集積回路、光ディスク、光磁気ディスク、磁気記録媒体等を用いてよく、さらに、ＣＤ−ＲＯＭ、ハードディスク、ＦＤ、ＤＶＤＲＡＭ、ＤＶＤＲＯＭ、ＭＯ、ＺＩＰ、磁気カード、磁気テープ、不揮発性メモリカード、ＩＣカード等に記録して構成して用いてよい。さらにまた、媒体の例としては、コンピュータと別のデバイスの間の無線又は赤外線送信チャンネル、コンピュータで読取可能なカード、例えばＰＣＭＣＩＡカード、別のコンピュータ又はネットワーク上のデバイスへのネットワーク接続、及び電子メール送信とウェブサイトその他に記録された情報を含むインターネットやイントラネットにて通信制御するために必要な各種処理プログラムの情報を含む。この情報記録媒体を上記各実施の形態によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができる。また、コンピュータ上で稼働しているＯＳ、サーバー、端末（携帯電話等）上のＲＴＯＳ等が処理の一部又は全部を行う場合、あるいは記憶媒体から読み出されたプログラムコードが、コンピュータ、情報処理装置に挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記実施の形態と同等の機能を実現できると共に、同等の効果を得ることができる。具体的には、情報記録媒体は、ユーザーが所望するホームページの閲覧を行なうための少なくとも一つの第１の機器と、前記ホームページを提供するための少なくとも一つの第２の機器と第一の機器と第２の機器を結ぶネットワーク上の一又は複数の第３の機器による分析により解析された変化を加えるべきデータを一度、通信網を介して各々データ送受信可能な第４の機器を用いて、前記第２の機器が提供するホームページ中の前記第１の機器に表示される固有の文字情報または図形情報を含む固有データに対して、前記固有データに関連する前記第５の機器が提供するホームページ又は第５の機器への訪問を斡旋する目的の別の第５の機器が提供するホームページへの���ンクを張る処理を行うものである。この情報記録媒体は、前記第１の機器からのアクセス要求に基づいて、前記第２の機器が提供するホームページに関する情報を含む第３の機器による分析により解析された変化を加えるべきデータを取得する処理を行なう情報と、予め登録された前記固有データと、前記固有データに対応するリンク先の前記第５の機器のＵＲＬ情報又は第５の機器への訪問を斡旋する目的の別の第５の機器が提供するホームページのＵＲＬ情報とを定義した第１のファイルの前記固有データを、取得された第３の機器による分析により解析された変化を加えるべきデータの中から探し出し、すでにリンクが張られているなど、リンクを張ることによってホームページ上の構成をこわさない前記固有データが抽出された場合には、前記固有データに対応する前記ＵＲＬ情報に基づいて前記固有データに関連する前記第５の機器が提供するホームページへ又は第５の機器への訪問を斡旋する目的の別の第５の機器が提供するホームページのリンク化処理を行って、第２のデータを前記または別の第３の機器に対して送信するする処理を行なう情報と、を含む。前記第１のデータ中の第３の機器による分析により解析された変化を加えるべきデータの文字コードを認識し、複数種類の文字コードのうち特定の一の文字コード以外の他の文字コードが形成されている場合には、当該一の文字コードに変換する処理を行なう情報と、を含む。さらにまた、前記実施の形態では、キーワードなどの固有の文字情報に対してリンクを張る表示を行なう構成を説明したが、文字情報に限らず、図形情報、画像情報、音声情報等の固有データに対してリンクを張る構成であってもよい。その際、図形情報として、例えば、特定の商標、サービスマーク、意匠、デザイン等を表示したアイコン等であってもよい。加えて、地図情報上に形成されるアイコンも、その団体等の商標、サービスマーク等で形成してもよい。また、上述の実施の形態では、ＨＴＭＬデータ（ＨＴＭＬ情報、ＨＴＭＬファイル）について例示したが、ＸＭＬなどの他の言語の場合であってもよく、さらには、ＨＴＴＰプロトコルに限らず、他のプロトコルの場合であってもよい。またさらに、上記実施の形態では、ターゲットサーバー上のサイトの第１のデータを、ユーザー端末に表示する場合に、第４の機器を用いて、第１のデータ中の固有データに対して固有データに関連する第５の機器が提供するホームページへ又は第５の機器への訪問を斡旋する目的の別の第５の機器へのリンクを張る構成としたが、ハードウエア上は、第２の機器、第３の機器第４の機器として構成される場合であってもよい。ただし、第４の機器が、全て第１のデータを受け取るものと、複数の第４の機器内の前記固有データに対応するリンク先の全部又は一部が連動せずに（特定のサイト内のサービスとして例えばニュースアーカイブ）動いているようなものは含まない、すなわち、サイト、関連サイト、本発明のプログラムが所定の階層に従って記述されていれば、そのハードウエア構成は問わない。さらに、上記実施形態には種々の段階が含まれており、開示される複数の構成要件における適宜な組み合わせに又は、複数回の実施により種々の発明が抽出され得る。つまり、���述の各実施の形態同士、あるいはそれらのいずれかとの組み合わせによる例をも含むことは言うまでもない。また、実施形態に示される全構成要件から幾つかの構成要件が削除された構成であってもよい。
【発明の効果】
【０００９】ある固有のデータ間のリンクが設定されると、ネットワーク上にあるすべてのテキスト中に含まれるその固有データに自動的にリンクが張られるという特性を活用すれば、検索エンジンを用いることやＵＲＬを直接入力するなどの手順が使わずに、必要な情報へアクセス可能となり、情報検索が容易となる（情報閲覧の利便性を高める方法）。より詳細には、インターネット上で企業が、企業自身もしくは商品サービスに関して宣伝広告を行う場合、最大限の宣伝効果を得るためには、できるだけ多くの人々の目につくことが必要となる。現在そのような宣伝・広告ページを多くの閲覧者に見せるための手段としては、多くの閲覧者が訪れるであろう、ポータルサイトなどのホームページにバナー広告や宣伝ページへのハイパーリンクなどを組み込むのが一般的である。これは、特定のウェブサイトを通じて広告宣伝を行うことになり、そのサイトの所有者の意思に基づいて宣伝広告の拒否や広告料の決定が行われている。これに対して本実施の形態では、サイトの所有者の意思にかかわらず、任意の企業名や商品名などを通じて、広告宣伝等のウェブサイトへのリンクを張るものであり、ネットワーク上で特定の企業名等を含んでいれば、その企業の宣伝のページへとリンクが張られるため、閲覧者を自己のサイトに誘導することが可能となる。ホームページ所有者の意思や閲覧数を要因として広告宣伝料等が決定される広告方法ではなく、その特定の語句を利用する利用する広告方法である。（広告宣伝方法）本実施の形態では、ネットワーク上にある任意の商標等を知的財産権者の認めるサイト、または公正に作成されたホームページにリンクするように設定することにより、当該商標等の正当な権利者であることを表明することもできる。さらに、インターネット上のホームページを閲覧しているが、テキスト中の特性の語句についてさらに詳しく知りたい場合に、その言葉をクリックすると、それに関する他のウェブサイトやテキスト中の異なる説明部分へと移動できれば、ＵＲＬの直接入力や、検索エンジン等で情報を検索するのに比べ、情報検索が簡便となる。しかしながら、現在のハイパーリンクという技術は、リンクの設定がテキストの作成者に委ねられているため、どの語句にリンクが貼られるかはテキストによって異なっている。また、リンクがまったく張られていない語句やテキストも数多く存在する。これに対して本実施の形態では、ひとつの語句に対してそれに関するウェブサイトを登録すると、ネットワーク上のすべてのテキストに含まれるその語句にリンクが張られることとなる。そのため、ウェブサイトを閲覧する多くの人が、頻繁に検索をするであろうと思われる語句を登録すれば、ネットワーク上にあるすべてのその語句からそれに関するサイトへのリンクが張られ、検索が大幅に容易になる。また、その語句からリンク先に移動する前に、それに関する複数の関連事項を一覧表で表示することにより、さらにその利便性を高めることが可能になる。（情報閲覧の利便性を高める方法）このように、ネットワーク上におけるハイパーリンクなどの現在のリンク方法に比べて、この技術によってもたらせられる現実のメリットは、第一に、インターネット上における広告宣伝の方法となること、第二に、インターネットにおける情報閲覧者の利便性を高めることなどである。
【発明を実施するための最良の形態】
【００１０】図１のようにネットワーク上に各装置配置し行うことによりクライアント０１はコンテンツサーバー４０以外のコンテンツに全てリンク化処理を行ったＨＴＭＬを受け取ることができる。クライアント０２及び０３は全てのコンテンツサーバーのコンテンツがリンク化処理を行ったものを受け取ることができる。またＩＳＰ２５、２１のように複数のＨＴＭＬ変換サーバーを持つことにより処理の余裕を持つＨＴＭＬ変換サーバーを選択できる。また。ネットワーク上に複数のＨＴＭＬ変換サーバーを配することにより、ネットワークのトラフィックを分散でき、ネットワークの輻輳状態を避ける事ができる。
【産業上の利用可能性】
【００１１】このビジネスモデルを利用し、単純な広告産業は元より、地図、辞書といった一般的な情報へのアクセスを簡略化したコンテンツをユーザー（クライアント）に届けることができる。その情報にさらに複合的に広告を入れることによりインターネットの利便性をより向上させつつ収益モデルを作り出すことができる。
【図面の簡単な説明】
【００１２】
【図１】本発明の実施形態におけるネットワーク全体を簡略化し示した構成図である。
【図２】本発明の実施形態におけるＩＳＰ内の作業を示す図
【図３】本発明の実施形態におけるＨＴＭＬ変換動作を示す図
【符号の説明】
【００１３】クライアント０１〜０３  インターネット利用者端末
ＤＮＳ１０〜１３  ドメインネームサーバ
ＩＳＰ２０〜２２  クライアントにインターネット網から接続するＩＳＰ
ＩＳＰ２３〜２５  コンテンツサーバーからインターネットに接続するＩＳＰ
ＨＴＭＬ変換サーバー３１〜３４  本発明におけるＨＴＭＬの変換を行うサーバー
コンテンツサーバー  ４０〜４２  ＨＴＭＬコンテンツを保有するサーバー
【図１】
2006092502.tif 000003
【図２】
2006092502.tif 000004
【図３】
2006092502.tif 000005